(57)【要約】【課題】マイクロ型内視鏡構造を提供する。【解決手段】本発明は、電気ケーブルと、電気ケーブルの前端に設けられる画像取得装置と、透明な光学材質から作製されて一端閉塞の管体を概略呈する外装カバーとを備え、前記画像取得装置は、センサを有し、前記センサの後端が電気ケーブルと電気的に接続され、前記画像取得装置の前記センサの前端にレンズが設けられると共に、前記センサ上に複数個の自発光部品が設けられ、前記外装カバーの軸線に沿う一端に開口部を形成させ、他端に前遮蔽部を一体形成させ、このようにして、前記複数個の自発光部品が持っている寸法の小さい特性を活かしてマイクロ型化要求を達成できるばかりでなく、かつ密閉度が高く、防水性能に優れる利点を有する。【選択図】図1
2020526234.tif 000002
【特許請求の範囲】
【請求項１】
電気ケーブルと、前記電気ケーブルの前端上に設けられる画像取得装置と、透明な光学材質から作製されて一端閉塞の管体を概略呈する外装カバーとを備えるマイクロ型内視鏡構造であって、
前記画像取得装置は、センサを有し、前記センサの後端が前記電気ケーブルと電気的に接続され、また前記画像取得装置の前記センサの前端にレンズが設けられ、かつ前記画像取得装置の前記センサ上に複数個の自発光部品が設けられ、
前記外装カバーの軸線に沿う一端に開口部を形成させ、他端に前遮蔽部を一体形成させ、前記開口部が前記電気ケーブル上に固設されることにより、前記画像取得装置が前記外装カバー内に位置し、また前記前遮蔽部が前記レンズの前方に丁度位置して前記レンズを保護するために供することを特徴とする、マイクロ型内視鏡構造。
【請求項２】
前記複数個の自発光部品は、自発光塗料であり、前記自発光塗料が、蛍光塗料及び燐光塗料のうちから選択されるいずれか１種であることを特徴とする、請求項１に記載のマイクロ型内視鏡構造。
【請求項３】
前記複数個の自発光部品は、有機発光ダイオードであることを特徴とする、請求項１に記載のマイクロ型内視鏡構造。
【請求項４】
前記センサが矩形体であり、前記センサは、４個の側面及び１つの前面を含み、前記レンズが円柱体であり、前記レンズが前記センサの前面に横方向に固設されることにより、前記センサの前面を前記レンズの外周側に４個の端部を形成させることを特徴とする、請求項１に記載のマイクロ型内視鏡構造。
【請求項５】
前記複数個の自発光部品は、それぞれ前記センサの側面上に設けられることを特徴とする、請求項４に記載のマイクロ型内視鏡構造。
【請求項６】
前記複数個の自発光部品は、それぞれ前記センサの端部上に設けられることを特徴とする、請求項４に記載のマイクロ型内視鏡構造。
【請求項７】
前記複数個の自発光部品の表面は、弧形凸面を呈していることを特徴とする、請求項５に記載のマイクロ型内視鏡構造。
【請求項８】
前記外装カバーの内壁には前記複数個の自発光部品に対応してそれぞれ弧形凹溝が設けられることを特徴とする、請求項７に記載のマイクロ型内視鏡構造。
【請求項９】
前記外装カバーの前記前遮蔽部が平直部分であり、かつ前記前遮蔽部が前記外装カバーの軸線と垂直になることを特徴とする、請求項１に記載のマイクロ型内視鏡構造。
【請求項１０】
前記外装カバーの前記前遮蔽部が、非平直な不規則な曲面及び球面のうちのいずれか１種であることを特徴とする、請求項１に記載のマイクロ型内視鏡構造。
【発明の詳細な説明】
【技術分野】
【０００１】
本発明は、内視鏡構造に係り、とりわけマイクロ型内視鏡構造を指す。
【背景技術】
【０００２】
よく見られる内視鏡照明技術としては、例えば、特許文献１のように、内視鏡の前端に光源を供給して導光作用を行う複数個のＬＥＤが設けられるものが開示されている。しかし、ＬＥＤの体積が比較的に大きいため、内視鏡の寸法が相対的に大きくなり、往々にして直径が３ｍｍ以上を超えることになるので、使用過程において使用者に不快感を与えやすくなり、かつ管腔道が比較的に小さい部位に適用できない。
【０００３】
これに鑑み、ＬＥＤを除去することにより、前記内視鏡の直径を２ｍｍ以下に減縮させてマイクロ型内視鏡となるものを提案する業者がいる。しかし、マイクロ型内視鏡の輝度が不足するため、使用者の体腔体内に挿入される光ファイバ式照明を外付けする必要があるから、使用過程においても使用者に不快感を与えてしまい、かつ光ファイバ自身が比較的に大きな湾曲作業を行うことができないので、操作上、限界がある。
【０００４】
また、一般の内視鏡の前端の防護用ガラスは、滲水を防止するために、往々にしてその周側に封止剤で接着されることで、防水効果を形成し、ただ封止加工を必要とすることから、製作過程が煩雑になるのみならず、かつ依然として滲水のおそれがある。
【０００５】
それゆえ、本願の発明者は、上記の欠点を観察した後、現有のマイクロ型内視鏡にはさらなる改善の必要があると考え、遂に本発明を生み出すに至った。
【先行技術文献】
【特許文献】
【０００６】
【特許文献１】台湾登録実用新案第Ｍ４２１０９１号明細書
【発明の概要】
【発明が解決しようとする課題】
【０００７】
本発明の主要な目的は、マイクロ型化の寸法内に収まり、極めて優れた照明効果を有することができる、マイクロ型内視鏡構造を提供することである。
【０００８】
本発明の副次的な目的は、構成部品を簡素化し、かつ極めて優れた防水性を有する、マイクロ型内視鏡構造を提供することである。
【課題を解決するための手段】
【０００９】
上記の主要な目的を達成するために、本発明のマイクロ型内視鏡構造は、電気ケーブルと、前記電気ケーブルの前端上に設けられる画像取得装置と、一端閉塞の管体を概略呈する外装カバーとを備え、前記画像取得装置は、センサを有し、前記センサの後端が前記電気ケーブルと電気的に接続され、また前記画像取得装置の前記センサの前端にレンズが設けられ、かつ前記画像取得装置の前記センサ上に複数個の自発光部品が設けられ、前記外装カバーの軸線に沿う一端に開口部を形成させ、他端に前遮蔽部を一体形成させ、その内、前記開口部が前記電気ケーブル上に固設されることにより、前記画像取得装置が前記外装カバー内に位置し、また前記前遮蔽部が前記レンズの前方に丁度位置して前記レンズを保護するために供する。
【００１０】
上記の副次的な目的を達成するために、本発明のマイクロ型内視鏡構造において、前記外装カバーは、透明な光学材質から作製されると共に、前記前遮蔽部が前記レンズの前方に位置して前記レンズを保護するために供する。
【００１１】
推奨の解決策として、その内、前記複数個の自発光部品は、自発光塗料であり、前記自発光塗料が、蛍光塗料及び燐光塗料のうちから選択されるいずれか１種である。
【００１２】
推奨の解決策として、その内、前記複数個の自発光部品は、有機発光ダイオード（０ＬＥＤ）である。
【００１３】
推奨の解決策として、その内、前記センサが矩形体であり、前記センサは、４個の側面及び１つの前面を含み、前記レンズが円柱体であり、前記レンズが前記センサの前面に横方向に固設されることにより、前記センサの前面を前記レンズの外周側に４個の端部を形成させる。
【００１４】
推奨の解決策として、その内、前記複数個の自発光部品は、それぞれ前記センサの側面上に設けられる。
【００１５】
推奨の解決策として、その内、前記複数個の自発光部品は、それぞれ前記センサの端部上に設けられる。
【００１６】
推奨の解決策として、その内、前記複数個の自発光部品の表面は、弧形凸面を呈している。
【００１７】
推奨の解決策として、その内、前記外装カバーの内壁には前記複数個の自発光部品に対応してそれぞれ弧形凹溝が設けられる。
【００１８】
推奨の解決策として、その内、前記外装カバーの前遮蔽部が平直部分であり、かつ前記前遮蔽部が前記外装カバーの軸線と垂直になる。
【００１９】
推奨の解決策として、その内、前記外装カバーの前遮蔽部が、非平直な不規則な曲面及び球面のうちのいずれか１種である。
【発明の効果】
【００２０】
本発明のマイクロ型内視鏡構構造は、前記複数個の自発光部品が持っている寸法の小さく、かつ輝度の高い特性を活かして全体の照明輝度を増加させると共に、前記画像取得装置を利用して撮影時により鮮明な画像を取得し、しかも前記外装カバーは、透明な光学材質から作製されて一端閉塞の管体を概略呈すると共に、前記前遮蔽部を前記レンズの前方に位置させるので、いかなる隙間もなく、密閉度が高く、防水性能に優れ、液体が前記画像取得装置に滲入して短絡が発生するのを回避することができる。
【図面の簡単な説明】
【００２１】
【図１】本発明の第１実施例の斜視図である。
【図２】本発明の第１実施例の分解図である。
【図３】本発明の第１実施例の断面図である。
【図４】本発明の第１実施例の前面図である。
【図５】本発明の第２実施例の分解図である。
【図６】本発明の第２実施例の断面図である。
【図７】本発明の第２実施例の前面図である。
【図８】本発明の第３実施例の断面図である。
【発明を実施するための形態】
【実施例】
【００２２】
第１実施例
図１〜図４に示す本発明の第１実施例の斜視図、分解図、断面図及び前面図のように、電気ケーブル１０と、画像取得装置２０と、外装カバー３０とを備えるマイクロ型内視鏡１００が掲示されている。
画像取得装置２０は、前記電気ケーブル１０の前端上に設けられ、前記画像取得装置２０は、センサ２２を有し、前記センサ２２の後端が前記電気ケーブル１０と電気的に接続され、また前記画像取得装置２０の前記センサ２２の前端にレンズ２３が設けられ、前記センサ２２が矩形体であり、図４に合わせて参照すると、前記センサ２２は、４個の側面２２１及び１つの前面２２２を含み、かつ前記レンズ２３が前記センサ２２の前面２２２に横方向に固設されることにより、前記センサ２２の前面２２２を前記レンズ２３の外周側に４個の端部２２３を形成させ、かつ前記画像取得装置２０の前記センサ２２上に複数個の自発光部品２５が設けられ、本実施例において、前記複数個の自発光部品２５は、それぞれ前記センサ２２の側面２２１上に設けられ、その内、前記複数個の自発光部品２５は、有機発光ダイオード（ＯＬＥＤ）であり、その表面は、弧形凸面を呈している。
外装カバー３０は、透明な光学材質から作製されて一端閉塞の管体を概略呈し、前記外装カバー３０の軸線に沿う一端に開口部３１を形成させ、他端に前遮蔽部３２を一体形成させ、その内、前記開口部３１が前記電気ケーブル１０上に固設されることにより、前記画像取得装置２０が前記外装カバー３０内に位置し、また前記前遮蔽部３２が平直部分であり、前記前遮蔽部３２が前記外装カバー３０の軸線と垂直になり、かつ前記レンズ２３の前方に丁度位置して前記レンズ２３を保護するために供し、しかも本実施例において、前記外装カバー３０の内壁３０１には前記複数個の自発光部品２５に対応してそれぞれ弧形凹溝３０２が設けられる。
【００２３】
本発明は、使用時に前記複数個の自発光部品２５を利用して光源を供給し、前記複数個の自発光部品２５がＯＬＥＤであるので、ＯＬＥＤは、画素を光源として機能する特性を持つため、よく見られるＬＥＤに比較して、寸法が小さく、輝度が高く、かつ電力消耗量が低いなどの利点を有する。従って、前記複数個の自発光部品２５が発光した後、前記外装カバー３０の弧形凹溝３０２は、前記複数個の自発光部品２５からの光線を反射して収束させるために用いられ、全体の輝度を増加させることができ、器官検査や手術時に、人体の腔内部位を明るく照らすように補助することができ、前記画像取得装置２０は、撮影時により十分な輝度を容易に得ることができ、そしてより鮮明な画像を取得することができる。
第２実施例
【００２４】
次に、図５〜図７に示す本発明の第２実施例の分解図、断面図及び前面図のように、本発明の第２実施例と前述した第１実施例との相違箇所は、前記複数個の自発光部品２５は、それぞれ前記センサ２２の端部２２３上に設けられることである。
第３実施例
【００２５】
次に、図８に示す本発明の第３実施例の断面図のように、本発明の第３実施例と前述した第１実施例との相違箇所は、前記外装カバー３０の前遮蔽部３２が、非平直な不規則な曲面及び球面のうちのいずれか１種であり、前記前遮蔽部３２が集束の特性を持つことで、前記レンズ２３に代替可能な前記前遮蔽部３２が結像作用を行うようにさせることである。
【００２６】
言及に値するのは、当該自発光部品２５は、自発光塗料であってもよく、自発光塗料が、蛍光塗料及び燐光塗料のうちから選択されるいずれか１種であってもよく、当該自発光部品２５は、塗布方式で前記画像取得装置２０の周縁に設置される。
【産業上の利用可能性】
【００２７】
１．本発明の前記複数個の自発光部品２５は、体積が小さく、輝度が高く、かつ電力消耗量が低いなどの利点を有することにより、本発明は、その直径を２ｍｍ以内に縮小させることができ、内視鏡をマイクロ型化する要求を達成するものである。
【００２８】
２．本発明の前記外装カバー３０は、透明な光学材質から作製されて一端閉塞の管体を概略呈すると共に、前記前遮蔽部３２を前記レンズ２３の前方に位置させるので、いかなる隙間もなく、密閉度が高く、防水性能に優れ、使用寿命が長いという効果を達成することができる。
【符号の説明】
【００２９】
１００      マイクロ型内視鏡
１０        電気ケーブル
２０        画像取得装置
２２        センサ
２２１      側面
２２２      前面
２２３      端部
２３        レンズ
２５        自発光部品
３０        外装カバー
３０１      内壁
３０２      弧形凹溝
３１        開口部
３２        前遮蔽部
【図１】
2020526234.tif 000003
【図２】
2020526234.tif 000004
【図３】
2020526234.tif 000005
【図４】
2020526234.tif 000006
【図５】
2020526234.tif 000007
【図６】
2020526234.tif 000008
【図７】
2020526234.tif 000009
【図８】
2020526234.tif 000010
【国際調査報告】
2020526234.tif 000011
2020526234.tif 000012
2020526234.tif 000013
2020526234.tif 000014